(57)【特許請求の範囲】
【請求項１】
一方の側から他方の側に多湿な空気又はガスを導入されたとき整流された平行流を形成する吸湿素子体と、吸湿素子体の上流側及び下流側に近接して配置された一対の電極を備えた高周波発生装置と、一方の側から他方の側に強制的に送風する送気手段並びに他方の側から一方の側へ強制的に送風する送気手段と、湿度濃度を検知する検知センサ及び制御手段とを備え、多湿な空気又はガスを導入したとき、通過した多湿な空気又はガスからこれに含有される湿分を当該吸湿素子体に吸着させ、他方の側から一方の側へ強制的に送風されたとき、吸湿素子体に吸着された湿分を、高周波発生装置の電極に出力することによって加熱蒸発させて外部に排出し、これによって、吸湿素子体を再生することとし、吸着素子体への湿分吸着時と加熱蒸発する再生時の空気又はガスの流れを相互にカウンターフローになしたことを特徴とする高周波又はマイクロ波による吸湿素子体の再生装置。
【請求項２】
乾燥室と吸湿用処理ファンを介して処理空気を循環させる循環経路を形成する入口及び出口を有する本体と、本体内に、前記出口と入口の間に配置され、一方の側から他方の側に多湿な空気又はガスを導入されたとき整流された平行流を形成する吸湿素子体と、再生処理用ファンの駆動時に再生処理用ファンへ通じる本体の出口及び外部から取り入れる再生空気用の本体の入口と、吸湿素子体の湿度飽和状態及び乾燥状態を検知するセンサと、吸湿素子体の湿度が飽和状態になるまでは再生処理用ファンへの流通経路を閉鎖すると共に乾燥室への循環経路を開放し、吸湿素子体の湿度が飽和状態に達すると再生処理用ファンへの流通経路を開放すると共に乾燥室への循環経路を閉鎖する切替えダンパと、ダンパが再生処理用ファンへの流通経路を閉鎖位置に配置される一対の電極を備えた高周波又はマイクロ波照射装置と、吸湿素子体の湿度が飽和状態に達して再生処理用ファンへの流通経路を開放したとき、高周波又はマイクロ波照射装置を稼動して吸湿素子体の水分を加熱蒸発すると共に再生処理用ファンによって外部に排出し、所定の乾燥状態を検知したとき、再生処理用ファンへの流通経路を閉鎖すると共に乾燥室への循環経路を開放し、循環経路の運転と再生経路の運転を繰り返す制御手段を備え、吸着素子体への湿分吸着時と加熱蒸発する再生時の空気又はガスの流れを相互にカウンターフローになしたことを特徴とする高周波又はマイクロ波による吸湿素子体の断続的再生装置。
【請求項３】
本体内に第一の流路を形成する入口及び出口と、配設された切換ダンパによって第二の流路を形成する切替え通路と、切替え流路の各通路に配置されたそれぞれの吸湿素子体と、各切替え通路の入口及び出口を備えた本体と、前記第一の流路を形成する本体入口に接続される処理気体供給ファンと、第二の流路を形成する本体出口に接続される再生処理用空気送給ファンと、各吸湿素子体の湿度飽和状態及び乾燥状態を検知するセンサと、各吸湿素子体の気体流入側及び流出側に配設の一対の電極を備える高周波又はマイクロ波照射装置と、その制御手段を備え、切替ダンパによる各切替位置のいずれにおいても、一方の吸湿素子体における、その湿度が飽和状態になるまで、多湿な空気又はガスの通過に伴い吸湿を行い、除湿した空気として送出する吸湿・除湿空気送給作用と、他方の吸湿素子体における、高周波又はマイクロ波照射装置によって除湿吸湿した水分を瞬時に加熱蒸発して外部へ排気する乾燥・排気作用を同時に行い、一方の吸湿素子体の湿度の飽和状態を検出して切替ダンパを切替え、連続的に除湿及び再生制御可能とし、吸着素子体への湿分吸着時と加熱蒸発する再生時の空気又はガスの流れを相互にカウンターフローになしたことを特徴とする高周波又はマイクロ波による吸湿素子体の連続的再生装置。
【請求項４】
一方の側から他方の側に多湿な空気又はガスを導入して吸湿素子体により整流された平行流を形成し、多湿な空気又はガスを処理ファンによって強制的に導入したとき、通過した多湿な空気又はガスからこれに含有される湿分を吸着する回転型素子と、回転型吸湿素子体の上流側及び下流側端面に各近接して配置される一対の電極を備えた高周波発生装置であって、回転型素子が飽和状態に達しとき、吸湿素子体の上流、下流間に高周波を発生させて、吸湿素子体に吸着された湿分を加熱蒸発させ、同時に他方の側から一方の側へ強制的に送風する手段とによって、加熱蒸発させた気体を外部に排出させ、これによって、吸湿素子体を再生する再生処理用ファンとを備え、吸着素子体への湿分吸着時と加熱蒸発する再生時の空気又はガスの流れを相互にカウンターフローになしことを特徴とする高周波又はマイクロ波による吸湿素子体の連続的再生装置。
【請求項５】
一方の側から他方の側に多湿な空気又はガスを導入して吸湿素子体により整流された平行流を形成し、多湿な空気又はガスを導入したとき、通過した多湿な空気又はガスからこれに含有される湿分のみを当該吸湿素子体に吸着し、吸湿素子体の上流側及び下流側に近接して配置した一対の電極を備えた高周波発生装置によって吸湿素子体の上流、下流間に高周波を発生させて、吸湿素子体に吸着された湿分を加熱蒸発させ、他方の側から一方の側へ強制的に送風する手段とによって、加熱蒸発させた気体を外部に排出し、これによって、吸湿素子体を再生することを特徴とする高周波又はマイクロ波による吸湿素子体の断続的再生方法。
【請求項６】
請求項５記載の高周波又はマイクロ波による吸湿素子体の再生方法、において、吸湿素子体は平行流を形成する長方形体をなし、正逆方向に流路切換されるハウジングに配置され、多湿な空気又はガスを、吸湿素子体の飽和状態になるまで正方向に流して、通過した多湿な空気又はガスからこれに含有される湿分を当該吸湿素子体に吸着させ、吸湿素子体の飽和状態になったときは、流路を切換えて逆方向への経路を開き、同時に高周波発生装置を稼動させて、吸着素子体に積算された湿分を加熱蒸発し、強制送風装置によって、乾燥空気を外部へ排出させ、吸湿素子体の飽和状態を検出して、吸着素子体による湿分吸着と高周波発生装置による吸着湿分の加熱蒸発を交互に繰り返すことを特徴とする高周波又はマイクロ波による吸着素子体の連続的再生方法。
【請求項７】
請求項５記載の高周波又はマイクロ波による吸湿素子体の再生方法、において、吸湿素子体は回転軸方向に平行流を形成するロータ型をなし、ロータの吸着素子体の一方の側面から他方の側面に、多湿な空気又はガスを導入することによって、通過した多湿な空気又はガスからこれに含有される湿分を当該吸湿素子体に吸着させ、ロータの吸着素子体の一方の側面及び他方の側面に近接して、高周波発生装置の一対の電極を配設し、前記吸着素子体の他方の側面から一方の側面にカウンターフローを発生させると共に一対の電極に高周波を出力することにより、当該吸湿素子体に吸着された湿分を加熱蒸発して、外部に排出し、吸湿素子体を再生することを特徴とする高周波又はマイクロ波による吸湿素子体の連続的再生方法。
【発明の詳細な説明】
【技術分野】
【０００１】
この出願の発明は、除湿装置、特に、除湿装置における吸湿素子体の再生方法又は再生装置に関し、より詳しくは、高周波又はマイクロ波による吸湿素子体の再生装置及び再生方法に関する。
【背景技術】
【０００２】
従来の除湿装置における吸湿素子体の再生装置において、除湿・乾燥作用を実行する機構を、図５に模式的に示す。図５において、除湿装置（図示省略）内に設ける吸湿素子６７ａを内蔵した吸湿素子体６７は、回転型吸湿素子体として、矢印の方向に回転駆動可能に配設される。除湿処理用ファン６８を駆動すると、例えば庫内に存在する水分を含んだ処理空気は、コルゲート状又はハニカム状をなす回転型吸湿素子６７ａ内を通して吸引され、通過する中で、処理空気に含まれた水分が回転型吸湿素子体６７内で吸湿され、空気が除湿される。その後さらに、除湿処理用ファン６８によって、別途乾燥を必要とする乾燥室等へと送給される。回転型吸湿素子体６７の吸湿作用で飽和状態になったときには、回転型吸湿素子体６７を乾燥し再生する作業が遂行される。この場合、再生処理用ファン５９を稼動することによって、途中に配設された加熱装置６０を通じ、前記した除湿作動時の流れと反対方向の流れを作りながら、回転型吸湿素子体６７へ向けて送風する。その際、回転型吸湿素子体６７内の水分は、加熱蒸発して除去される。
【０００３】
その際、湿分を除去するための加熱装置６０による加熱手段は、高温蒸気や燃焼など炎の熱風を利用する方法や、熱電線などを熱源とする被加熱物（湿分）の加熱であって、熱伝導によって湿分を加熱する、所謂外部加熱と呼ばれる方法により蒸発除去するものであった。このため、効率が悪く、再生処理作業に長時間を要するものであった。
また、従来の加熱装置６０による吸湿素子体６７の加熱方式は、上記の通り電気又は蒸発エネルギーから取得した熱エネルギーで加熱すると同時に再生処理用ファン５９で加熱した空気を当該素子体６７に強制送風し、熱伝導によって吸湿素子体６７を加熱、外部加熱方式で湿分を離脱除去させる方法である。
【０００４】
したがって、吸湿素子体６７を加熱させるのに時間を要するため、吸湿素子体６７を通過する再生空気は長い時間にわたって吸湿素子体６７の再生ゾーン６１に送風する必要がある。そしてこの場合、吸湿素子体６７の回転スピードを遅くする必要があり、さらに、バッチ式においては、同様に長時間再生空気を送らなければならない。したがって使用エネルギーも無駄が多く、装置も大掛かりとなるものであった。
また、上記した従来の内部加熱では吸湿素子体６７の内部を均一な温度に上げることが難しく、さらに、真空中では燃焼加熱は不可であるため、熱伝導か幅射熱による加熱はエネルギー密度を上げることができず、時間が掛かるなど課題を有し、また、湿分を含んだ再生ゾーンまで距離がある場合には、外部加熱では熱伝導や幅射加熱では時間がかかり熱ロスが大きかった。しかも、湿分除去のための制御において、外部加熱方式は加熱を停止しても熱エネルギーにイナーシャが残るため、制御が難しいなど問題を残していた。
【０００５】
【特許文献１】特開平９−３１８１２７
【特許文献２】特開平１０−３０５２０７
【特許文献３】特開平４−２８１８１５
【特許文献４】特開平５−２００２３９
【特許文献５】特開平７−７５０
【発明の開示】
【発明が解決しようとする課題】
【０００６】
解決しようとする問題点は、従来の外部加熱方式で湿分を離脱除去させる方法と違って、回転型吸湿素子体４７Ｃにあってはその回転型吸湿素子へ、また吸湿素子体７にあってはその吸湿素子７ａ，２７Ａ；２７Ｂへ向かう流れの上流側及び下流側に隣接して設置される一対の電極を備えた高周波又はマイクロ波照射装置５３、３３、１３により加熱装置を構成し、回転型吸湿素子体４７Ｃ、又は吸湿素子７、２７Ａ；２７Ｂの湿分を除去するため、湿分除去の効率を向上し、再生処理作業を短時間に実行できるようにすることである。
また 湿分除去効率の向上に伴う、再生処理作業の短縮化によって、吸湿素子体７を通過させる再生空気の送風時間も短縮できるので、回転型吸湿素子体４７Ｃの場合、回転スピードを上げることができ、さらに、バッチ式においても、短時間で作業を完遂できるので、使用エネルギーも効率的に活用でき、装置も小型で済ますことを可能にするものである。
また、吸湿素子体７の内部を、熱ロスを少なくし、かつ均一な温度に上げることが容易であり、さらに、真空中でも加熱は可能であり、このため、加熱エネルギー密度を一層向上させることができ、湿分除去の効率を向上し、湿分を含んだ再生ゾーンまで距離があった場合でも距離に関係なく、再生処理作業を短時間に実行できる。しかも、湿分除去のための制御において、加熱を停止した場合にも、熱エネルギーにイナーシャが残さないため、加熱蒸発作業を切り替えた場合における次の吸湿作業を効果的かつ迅速に遂行することができる。
【課題を解決するための手段】
【０００７】
本発明は、第一には、一方の側から他方の側に多湿な空気又はガスを導入されたとき整流された平行流を形成する吸湿素子体と、吸湿素子体の上流側及び下流側に近接して配置された一対の電極を備えた高周波発生装置と、一方の側から他方の側に強制的に送風する送気手段並びに他方の側から一方の側へ強制的に送風する送気手段と、湿度濃度を検知する検知センサ及び制御手段とを備え、多湿な空気又はガスを導入したとき、通過した多湿な空気又はガスからこれに含有される湿分を当該吸湿素子体に吸着させ、他方の側から一方の側へ強制的に送風されたとき、吸湿素子体に吸着された湿分を、高周波発生装置の電極に出力することによって加熱蒸発させて外部に排出し、これによって、吸湿素子体を再生することとし、吸着素子体への湿分吸着時と加熱蒸発する再生時の空気又はガスの流れを相互にカウンターフローになしたことを特徴とする高周波又はマイクロ波による吸湿素子体の再生装置を提供する。
【０００８】
また、本発明は、乾燥室と吸湿用処理ファンを介して処理空気を循環させる循環経路を形成する入口及び出口を有する本体と、本体内に、前記出口と入口の間に配置され、一方の側から他方の側に多湿な空気又はガスを導入されたとき整流された平行流を形成する吸湿素子体と、再生処理用ファンの駆動時に再生処理用ファンへ通じる本体の出口及び外部から取り入れる再生空気用の本体の入口と、吸湿素子体の湿度飽和状態及び乾燥状態を検知するセンサと、吸湿素子体の湿度が飽和状態になるまでは再生処理用ファンへの流通経路を閉鎖すると共に乾燥室への循環経路を開放し、吸湿素子体の湿度が飽和状態に達すると再生処理用ファンへの流通経路を開放すると共に乾燥室への循環経路を閉鎖する切替えダンパと、ダンパが再生処理用ファンへの流通経路を閉鎖位置に配置される一対の電極を備えた高周波又はマイクロ波照射装置と、吸湿素子体の湿度が飽和状態に達して再生処理用ファンへの流通経路を開放したとき、高周波又はマイクロ波照射装置を稼動して吸湿素子体の水分を加熱蒸発すると共に再生処理用ファンによって外部に排出し、所定の乾燥状態を検知したとき、再生処理用ファンへの流通経路を閉鎖すると共に乾燥室への循環経路を開放し、循環経路の運転と再生経路の運転を繰り返す制御手段を備え、吸着素子体への湿分吸着時と加熱蒸発する再生時の空気又はガスの流れを相互にカウンターフローになしたことを特徴とする高周波又はマイクロ波による吸湿素子体の断続的再生装置を提供する。
【０００９】
さらに、本発明は、本体内に第一の流路を形成する入口及び出口と、配設された切換ダンパによって第二の流路を形成する切替え通路と、切替え流路の各通路に配置されたそれぞれの吸湿素子体と、各切替え通路の入口及び出口を備えた本体と、前記第一の流路を形成する本体入口に接続される処理気体供給ファンと、第二の流路を形成する本体出口に接続される再生処理用空気送給ファンと、各吸湿素子体の湿度飽和状態及び乾燥状態を検知するセンサと、各吸湿素子体の気体流入側及び流出側に配設の一対の電極を備える高周波又はマイクロ波照射装置と、その制御手段を備え、切替ダンパによる各切替位置のいずれにおいても、一方の吸湿素子体における、その湿度が飽和状態になるまで、多湿な空気又はガスの通過に伴い吸湿を行い、除湿した空気として送出する吸湿・除湿空気送給作用と、他方の吸湿素子体における、高周波又はマイクロ波照射装置によって除湿吸湿した水分を瞬時に加熱蒸発して外部へ排気する乾燥・排気作用を同時に行い、一方の吸湿素子体の湿度の飽和状態を検出して切替ダンパを切替え、連続的に除湿及び再生制御可能とし、吸着素子体への湿分吸着時と加熱蒸発する再生時の空気又はガスの流れを相互にカウンターフローになしたことを特徴とする高周波又はマイクロ波による吸湿素子体の連続的再生装置提供する。
【００１０】
またさらに、本発明は、一方の側から他方の側に多湿な空気又はガスを導入して吸湿素子体により整流された平行流を形成し、多湿な空気又はガスを処理ファンによって強制的に導入したとき、通過した多湿な空気又はガスからこれに含有される湿分を吸着する回転型素子と、回転型吸湿素子体の上流側及び下流側端面に各近接して配置される一対の電極を備えた高周波発生装置であって、回転型素子が飽和状態に達しとき、吸湿素子体の上流、下流間に高周波を発生させて、吸湿素子体に吸着された湿分を加熱蒸発させ、同時に他方の側から一方の側へ強制的に送風する手段とによって、加熱蒸発させた気体を外部に排出させ、これによって、吸湿素子体を再生する再生処理用ファンとを備え、吸着素子体への湿分吸着時と加熱蒸発する再生時の空気又はガスの流れを相互にカウンターフローになしことを特徴とする高周波又はマイクロ波による吸湿素子体の連続的再生装置を提供する。
【００１１】
本発明は、一方の側から他方の側に多湿な空気又はガスを導入して吸湿素子体により整流された平行流を形成し、多湿な空気又はガスを導入したとき、通過した多湿な空気又はガスからこれに含有される湿分のみを当該吸湿素子体に吸着し、吸湿素子体の上流側及び下流側に近接して配置した一対の電極を備えた高周波発生装置によって吸湿素子体の上流、下流間に高周波を発生させて、吸湿素子体に吸着された湿分を加熱蒸発させ、他方の側から一方の側へ強制的に送風する手段とによって、加熱蒸発させた気体を外部に排出し、これによって、吸湿素子体を再生することを特徴とする高周波又はマイクロ波による吸湿素子体の断続的再生方法を提供する。
【００１２】
本発明は、また、高周波又はマイクロ波による吸湿素子体の再生方法において、吸湿素子体は平行流を形成する長方形体をなし、正逆方向に流路切換されるハウジングに配置され、多湿な空気又はガスを、吸湿素子体の飽和状態になるまで正方向に流して、通過した多湿な空気又はガスからこれに含有される湿分を当該吸湿素子体に吸着させ、吸湿素子体の飽和状態になったときは、流路を切換えて逆方向への経路を開き、同時に高周波発生装置を稼動させて、吸着素子体に積算された湿分を加熱蒸発し、強制送風装置によって、乾燥空気を外部へ排出させ、吸湿素子体の飽和状態を検出して、吸着素子体による湿分吸着と高周波発生装置による吸着湿分の加熱蒸発を交互に繰り返すことを特徴とする高周波又はマイクロ波による吸着素子体の連続的再生方法を提供する。
【００１３】
本発明は、さらに、高周波又はマイクロ波による吸湿素子体の再生方法において、吸湿素子体は回転軸方向に平行流を形成するロータ型をなし、ロータの吸着素子体の一方の側面から他方の側面に、多湿な空気又はガスを導入することによって、通過した多湿な空気又はガスからこれに含有される湿分を当該吸湿素子体に吸着させ、ロータの吸着素子体の一方の側面及び他方の側面に近接して、高周波発生装置の一対の電極を配設し、前記吸着素子体の他方の側面から一方の側面にカウンターフローを発生させると共に一対の電極に高周波を出力することにより、当該吸湿素子体に吸着された湿分を加熱蒸発して、外部に排出し、吸湿素子体を再生することを特徴とする高周波又はマイクロ波による吸湿素子体の連続的再生方法をも提供する。
【発明の効果】
【００１４】
この出願の発明によれば、電界を用いた高周波誘電加熱やさらに高い周波数の電源（波長１ｍ〜３０ｍ）を用いたマイクロ波（波長１ｍｍ〜１ｍ）加熱で被加熱物、すなわち湿分は湿分自体の分子が与えられた電波エネルギーが熱に変わるため、湿分自体の内部から加熱される内部加熱であり、極めて効率が高くしかも短時間で湿分を蒸発離脱することができる。本発明は処理空気と呼ばれる湿分を含んだ空気又はガスが、当該素子の導入口から導入され通過することによって素子に湿分だけ吸着させ、素子を強制通過した空気は乾燥空気となる。本発明の吸湿素子体は外部の駆動装置により回転された状態で、高周波又はマイクロ装置から照射される電源によって水分自体が発熱体となり、内部加熱され短時間で完全蒸発し、再生処理ファンによってその湿分は外部に排出される。本願発明による高周波又はマイクロ波は内部加熱方式であるので極めて早い時間に、湿分の完全離脱を図ることができる。
【００１５】
内部加熱方式は湿分自体が発熱するので素子本体の材質に関係なく湿度が上昇し、しかも内部まで発熱するので極めて早い時間で蒸発を誘導することができるので、素子の回転スピードを上げることができることの他、湿分が完全に蒸発離脱するので素子が吸着する湿分量を上げることができ、除湿性能が大幅にアップする。本発明は電界が均一照射できる工夫をすることによって短時間で均一温度に昇温することができるため湿分の離脱が早い。高周波及びマイクロ波エネルギーを集中できるので非常に熱効率をよくすることができる。本発明は真空中でも容易に加熱ができる。本発明は真空度をコントロールすることにより、低温乾燥が容易にできる。
【００１６】
湿分を含んだ再生ゾーンまで距離がある場合でも、本発明では距離に関係なく容易に加熱できる。外部加熱の場合、本発明は損失係数の差を利用することにより、部分湿分除去ができることの他、湿分の不均一な素子でも湿分含水率の高い部分が損失係数が大きく、エネルギー吸収がよいので均一した湿分除去が可能である。湿分除去のための制御は瞬時に行え、加熱を停止しても熱エネルギーにイナーシャが残ることがなく、制御が容易である。音の発生がないので作業改善ができる。加熱装置の占有面積が少なくてすむのでエネルギー密度が高く効率がよい。
【発明を実施するための最良の形態】
【００１７】
除湿装置本体内に配置された吸湿素子体において、その一方の側から他方の側に多湿な空気又はガスを導入すると、導入された空気等は整流された平行流を形成し、多湿な空気又はガスから水分が吸湿される。空気又はガスを導入に際しては、除湿処理用ファンによって強制的に送給される。
除湿装置本体に高周波又はマイクロ波照射装置が付設され、吸湿素子体の上流側及び下流側に近接して高周波又はマイクロ波照射装置の発信部及び受信部としての電極が配置される。
除湿によって吸湿状態が飽和すると、高周波又はマイクロ波照射装置から各電極間に照射され、吸湿素子体の水分が瞬時に過熱蒸発される。このとき、再生処理用ファンが駆動され、蒸発された気体が外部に強制的に排出される。
【００１８】
本発明によれば、除湿装置本体に高周波又はマイクロ波照射装置、除湿処理用ファン及び再生処理用ファンが付設されているので、除湿装置本体の一方の側から他方の側に多湿な空気又はガスを導入したとき、通過した多湿な空気又はガスからこれに含有される湿分を当該吸湿素子体に吸着し、また、吸湿素子体の吸着により飽和状態になったとき、これを検出して、高周波発生装置の一対の電極に出力して加熱蒸発させると共に、他方の側から一方の側へ強制的に送風することによって、吸湿素子体に吸着された湿分を蒸気として外部に排出し、これによって、吸湿素子体を再生することができる。
【実施例１】
【００１９】
図１，２に示すように、除湿装置本体１は、乾燥空気供給管９及び要処理空気導入管１１を介して乾燥室１０に接続される。乾燥室１０と除湿処理用ファン８を介して除湿処理を要する空気を循環させる循環経路を形成する第一入口２ａ及び第一出口２ｂを有する。本体１内に、前記第一入口２ａと第一出口２ｂの間に吸湿素子体７が配置される。また、本体１は、再生処理用ファン１２の駆動時に再生処理用ファン１２へ通じる第２出口４及び外部から取り入れる第２入口３を有する。本体１にはさらに、高周波又はマイクロ波照射装置１３、湿度検知センサ１６、制御手段１７を備える。
【００２０】
湿度検知センサ１６は吸湿素子体７の湿度飽和状態及び乾燥状態を検知し、制御手段１７に信号を送る。吸湿素子体により、湿度が飽和状態になるまでは再生処理用ファンへの流通経路を閉鎖すると共に乾燥室１０への循環経路を開放し、吸湿素子体７の湿度が飽和状態に達すると再生処理用ファン１２への流通経路を開放すると共に乾燥室１０への循環経路を閉鎖する。この切替えは、第１切替ダンパ５ａ，５ｂ及び第２切替ダンパ６ａ，６ｂによってなされる。吸湿素子体７の湿度が飽和状態に達すると、第１、第２切替ダンパを切替えて、乾燥室（１０）への流路経路を閉鎖すると共に再生処理用ファン１２への流通経路を開放し、同時に高周波又はマイクロ波照射装置１３の一対の電極１４，１５に高周波又はマイクロ波を照射して、吸湿素子体の水分を加熱蒸発し、再生処理ファン１２によって外部に排出する。また、所定の乾燥状態を検知したときには、再生処理ファン１２への流通経路を閉鎖すると共に乾燥室１０への循環経路を開放し、除湿処理用ファン８の駆動によって、乾燥室１０から要処理空気導入管１１、第１入口２ａを通じて吸湿素子体７へ、湿気を含んだ気体またはガスを強制的に送給し、吸湿素子体７において、湿気を含んだ気体またはガスから、湿気を吸湿する。
【００２１】
本発明の上記第一実施例によれば、除湿装置の一方の側から他方の側に多湿な空気又はガスを導入して吸湿素子体により整流された平行流を形成し、多湿な空気又はガスを導入したとき、通過した多湿な空気又はガスからこれに含有される湿分を当該吸湿素子体に吸着し、飽和状態を検出したときには、吸湿素子体の上流側及び下流側に近接して配置した一対の電極を備えた高周波発生装置によって吸湿素子体の上流、下流間に高周波を発生させて、吸湿素子体に吸着された湿分を加熱蒸発させ、他方の側から一方の側へ強制的に送風する手段によって、加熱された上記を含んだ気体を外部に排出し、これによって、吸湿素子体を再生することができる。
以上において、除湿運転時は一方の側から他方の側に、また加熱蒸発再生時は他方の側から一方の側へと吸湿素子体を給送される空気の流れは逆転するものとなっている。
以上から、本発明によれば、循環経路による除湿、乾燥空気の送給と、再生経路による吸湿水分の加熱蒸発、蒸気の外部への排出とを行う運転を繰り返すことによって、高周波又はマイクロ波による吸湿素子体の断続的再生が実行される。
【実施例２】
【００２２】
図３において、本体２１は、除湿された空気を送給する図示されない乾燥室と接続する第一の流路を形成する開口（２２ｄ）（２２ｃ）；（２２ｂ）（２２ａ）と、切替ダンパ２５Ａと、本体２１内に配設の吸湿素子体２７Ａ，２７Ｂと、吸湿素子体２７Ａ，２７Ｂからの除湿水分を加熱蒸発して、交互に外部へ排出する第二の流路を形成する第２入口２３と第２出口２９を有する。開口２２ａ，２２ｂ間、開口２２ｃ，２２ｄ間に各配設された吸湿素子体２７Ｂ、２７Ａには、それぞれ、各吸湿素子体の湿度飽和状態及び乾燥状態を検知するセンサ１６Ａ、１６Ｂと、各吸湿素子体の気体流入側及び流出側に配設の電極部（３４ａ、３５ａ）及び（３４ｂ、３５ｂ）を一対の電極として備える高周波又はマイクロ波照射装置３３と、その制御手段３７とを備える。また、実施例１と同様、除湿処理用ファン２２、再生処理用ファン２８を備える。
【００２３】
図３（ａ）に示す切替ダンパ（２５Ａ）の制御位置において、一方の吸湿素子体２７Ａにおいて、吸湿し、除湿された気体が除湿処理用ファン２２により強制的に適宜の乾燥必要設備に送給され、他方の吸湿素子体２７Ｂにおいて、高周波又はマイクロ波照射装置（３３）により除湿分を加熱蒸発し、再生空気送給ファン（２８）により送給された気流によって蒸気を、第２出口２９を通じて外部に排出する。
また、図３（ｂ）に示す切替ダンパ２５Ａの制御位置においては、他方の吸湿素子体２７Ｂにおいて、吸湿し、除湿された気体が除湿処理用ファン２２により強制的に適宜の乾燥必要設備に送給され、他方の吸湿素子体２７Ａにおいて、高周波又はマイクロ波照射装置３３により除湿分を加熱蒸発し、再生空気送給ファン２８により送給された気流によって蒸気を、第２出口２９を通じて外部に排出する。
上記において、一方の吸湿素子体２７Ａは、図３（ａ）の制御位置において、一方の側から他方の側に強制的に送給され、図３（ｂ）の制御位置において、他方の側から一方の側に送給される。
また、他方の吸湿素子体２７Bについても、一方の吸湿素子体２７Ａと同様、図３（ａ）、図３（ｂ）の各制御位置において送給される方向は反対となる。
【００２４】
要するに、湿度飽和状態の検地によって、切替ダンパにより吸湿素子体２７Ａ又は２７Ｂへの流路を切替え、多湿な空気又はガスの通過に伴い吸湿を行い、乾燥した空気として送出する吸湿・除湿空気送給作用と、高周波又はマイクロ波照射装置によって除湿吸湿した水分を瞬時に加熱蒸発し外部へ排気する乾燥・排気作用を同時に行い、連続的に除湿及び再生制御可能とした高周波又はマイクロ波による吸湿素子体の連続的再生装置を提供するものである。
【００２５】
多湿な空気又はガスは、吸湿素子体（２７Ａ）（２７Ｂ）のいずれか一方の吸湿素子体で、飽和状態になるまで正方向に流して、通過した多湿な空気又はガスからこれに含有される湿分を当該吸湿素子体に吸着させ、吸湿素子体の飽和状態になったときは、流路を切換えて反対方向の経路を開き、同時に高周波発生装置を稼動させて、吸着素子体に積算された湿分を加熱蒸発し、再生処理用ファンによって、蒸発空気を外部へ排出させ、湿分の吸湿と吸着湿分の加熱蒸発と同時に行い、切替ダンパによる、通路切替後においても、同様の湿分の吸湿と吸着湿分の加熱蒸発と同時作業を交互に連続的に繰り返すことができる。
【実施例３】
【００２６】
図４において、本体内には、一方の側から他方の側に多湿な空気又はガスを導入して吸湿素子体（４７Ｃ）により整流された平行流を形成し、多湿な空気又はガスを除湿処理用ファン（４８）によって強制的に導入したとき、通過した多湿な空気又はガスからこれに含有される湿分を吸着する回転型吸湿素子体（４７Ｃ）と、回転型吸湿素子体（４７Ｃ）の上流側及び下流側端面に各近接して配置される一対の電極５４、５５を備えた高周波発生装置５３であって、回転型吸湿素子体（４７Ｃ）が飽和状態に達しとき、回転型吸湿素子体の上流、下流間に高周波を発生させて、回転型吸湿素子体（４７Ｃ）に吸着された湿分を加熱蒸発させ、同時に他方の側から一方の側へ強制的に送風する再生処理用ファン（４９）によって、加熱蒸発させた気体を外部に排出させ、これによって、吸湿素子体（４７Ｃ）を連続的に再生することができる。
除湿処理用ファン４８によって多湿な空気又はガスは一方の側から他方の側に強制的に導入され、再生処理用ファン（４９）によって、加熱蒸発させた気体は他方の側から一方の側へ強制的の送風される。
【図面の簡単な説明】
【００２７】
【図１】本発明の第１実施例として、除湿装置における吸湿素子体の断続的再生装置の概要図を示し、（ａ）は吸湿素子体により除湿された処理空気の乾燥室等への供給する運転時における除湿・処理空気供給動作位置を示し、（ｂ）は吸湿素子体の断面構造と除湿・処理空気供給動作位置における気体の流れを示す図である。
【図２】第１実施例において、（ａ）は吸湿された水分を含んだ吸湿素子体の水分を加熱除去し外部に排出することによって、吸湿素子体を再生する再生処理運転時における動作位置を示し、（ｂ）は再生処理運転時における吸湿素子体の気体の流れを示す図である。
【図３】本発明の第２の実施例として、切替運転可能な２連式の吸湿素子体を備えて連続除湿乾燥空気送給及び吸湿水分加熱蒸発排気可能な除湿装置を模式的に示す図であり、（ａ）は、一方の流れ方向を与えて、一方の吸湿素子体において除湿・処理空気供給を行うと共に、他方の吸湿素子体においてその再生処理運転を行い、除湿・処理空気供給運転及び再生処理運転を同時に実行する動作位置を示し、（ｂ）は、前記（ａ）とは逆の流れ方向を与えながら、各吸湿素子体における動作を逆転しながら、同様に、除湿・処理空気供給運転及び再生処理運転を同時に実行する動作位置を示すものである。
【図４】本発明の第３の実施例として、回転型吸湿素子体を備えた連続吸湿・乾燥再生処理可能な除湿装置を模式的に示す図である。
【図５】従来の除湿装置における吸湿素子体の断続的再生装置の概要図を示す。
【符号の説明】
【００２８】
１ 除湿装置本体
２ａ 第１入口
２ｂ 第１出口
３ 第２入口
４ 第２出口
５ａ，５ｂ 第１切替ダンパ
６ａ，６ｂ 第２切替ダンパ
７ 吸湿素子体
７ａ 吸湿素子
８ 除湿処理用ファン
９ 乾燥空気供給管
１０ 乾燥室
１１ 要処理空気導入管
１２ 再生処理用ファン
１３ 高周波照射装置
１４ 電極部
１５ 電極部
１６，１６Ａ，１６Ｂ湿度検出センサ
１７ 制御手段
２１ 本体
２２  除湿処理用ファン
２２ａ，２２ｂ，２２ｃ，２２ｄ 開口
２３ 第２入口
２５Ａ切替ダンパ
２７Ａ，２７Ｂ， 吸湿素子体
２８ 再生処理用ファン
２９ 第２出口
３３  高周波又はマイクロ波照射装置
３４ａ，３４ｂ 電極部
３５ａ，３５ｂ 電極部
３７ 制御手段
４７Ｃ 吸湿素子体
４８ 除湿処理用ファン
４９ 再生処理用ファン
５２ａ 入口側
５２ｂ 出口側
５３ 高周波照射装置
５４、５５ 電極部
Ｌ１ 湿気を含んだ要処理空気
Ｌ２ 乾燥空気
５９ 再生処理用ファン
６０ 加熱装置
６１ 再生ゾーン
６７ 吸湿素子体
６７ａ 吸湿素子
６８ 除湿処理用ファン
【図１】
0004349895.tif 000002
【図２】
0004349895.tif 000003
【図５】
0004349895.tif 000004
【図３】
0004349895.tif 000005
【図４】
0004349895.tif 000006